(57)【要約】      （修正有）【課題】蓋部の組立作業性及び開封作業性に優れるシートセットを提供する。【解決手段】シートセットは、包装箱に組み立て可能な箱用シートと、箱用シートと同時に組み立てられ、包装箱の外面を被覆する被覆用シートとを備え、被覆用シートが、左右方向の一方側から他方側に連接される第１側面被覆パネル、第２側面被覆パネル、第３側面被覆パネル３３及び第４側面被覆パネル３４と、第１側面被覆パネル及び第３側面被覆パネルの上縁から延出し、組立時に箱用シートの一対の上側外フラップ１５、１６の外面に重ねられ、一対の上側外フラップと共に折り込まれる一対の外側被覆フラップ３５、３６と、第２側面被覆パネル及び第４側面被覆パネルの上縁から延出し、組立時に箱用シートの一対の上側内フラップ１７の外面に重ねられ、一対の上側内フラップと共に折り込まれる一対の内側被覆フラップ３７、３８とを備える。【選択図】図３
0003209896.tif 000002
【実用新案登録請求の範囲】
【請求項１】
左右方向の一方側から他方側に連接され、組立時に四角筒状部を構成する第１側面パネル、第２側面パネル、第３側面パネル及び第４側面パネルと、
上記第１側面パネル及び第３側面パネルの上縁から延出する一対の上側外フラップと、
上記第２側面パネル及び第４側面パネルの上縁から延出する一対の上側内フラップと
を備え、包装箱に組み立て可能な箱用シートと、
上記箱用シートと同時に組み立てられ、上記包装箱の外面を被覆する被覆用シートと
を備え、
上記被覆用シートが、
左右方向の一方側から他方側に連接され、組立時に上記第１側面パネル、第２側面パネル、第３側面パネル及び第４側面パネルを被覆する第１側面被覆パネル、第２側面被覆パネル、第３側面被覆パネル及び第４側面被覆パネルと、
上記第１側面被覆パネル及び第３側面被覆パネルの上縁から延出し、組立時に上記一対の上側外フラップの外面に重ねられ、上記一対の上側外フラップと共に折り込まれる一対の外側被覆フラップと、
上記第２側面被覆パネル及び第４側面被覆パネルの上縁から延出し、組立時に上記一対の上側内フラップの外面に重ねられ、上記一対の上側内フラップと共に折り込まれる一対の内側被覆フラップと
を備えるシートセット。
【請求項２】
一方の上記上側外フラップの延出方向最大長さが、この上側外フラップに重ねられる一方の外側被覆フラップの延出方向最大長さより大きく、かつ他方の上記上側外フラップの延出方向最大長さが、この上側外フラップに重ねられる他方の外側被覆フラップの延出方向最大長さより小さい請求項１に記載のシートセット。
【請求項３】
上記被覆用シートが、上記第１側面被覆パネル、第２側面被覆パネル、第３側面被覆パネル及び第４側面被覆パネルの下縁から延出する他のパネルを有しない請求項１又は請求項２に記載のシートセット。
【請求項４】
上記一対の上側外フラップの延出方向先端側端部の幅が、上記一対の外側被覆フラップの延出方向先端側端部の幅より小さい請求項１、請求項２又は請求項３に記載のシートセット。
【請求項５】
上記一対の上側外フラップが開封自在に係合される係合構造を有する請求項１から請求項４のいずれか１項に記載のシートセット。
【考案の詳細な説明】
【技術分野】
【０００１】
本考案は、シートセットに関する。
【背景技術】
【０００２】
従来、物品の運搬、保管等に段ボールシート等から組み立てられる包装箱が用いられている。また、物品の運搬時における包装箱の傷付きを防止すること等を目的として、この包装箱を他の包装箱に入れて取り扱うこともある。
【０００３】
物品を収容する包装箱及びこの包装箱を入れる他の包装箱を有する包装箱セットとして、例えば「包装箱容器」（実開平６−６２６８号公報参照）が発案されている。この包装箱容器は、物品を収容する内箱及びこの内箱を入れる外箱を有する。この包装箱容器は、上蓋部を開いた状態の外箱内に上蓋部を開いた状態の内箱を挿入し、内箱の上蓋部を組み立てた後に外箱の上蓋部を組み立てて形成される。
【先行技術文献】
【特許文献】
【０００４】
【特許文献１】実開平６−６２６８号公報
【考案の概要】
【考案が解決しようとする課題】
【０００５】
しかしながら、上記公報に記載の包装用容器は、内箱の上蓋部と外箱の上蓋部とを別個に組み立てるものであるため、１つの包装箱を用いる場合に比べて上蓋部の組立作業及び開封作業に２倍の手間がかかる。
【０００６】
本考案は、このような不都合に鑑みてなされたものであり、蓋部の組立作業性及び開封作業性に優れるシートセットを提供することを課題とする。
【課題を解決するための手段】
【０００７】
上記課題を解決するためになされた本考案に係るシートセットは、左右方向の一方側から他方側に連接され、組立時に四角筒状部を構成する第１側面パネル、第２側面パネル、第３側面パネル及び第４側面パネルと、上記第１側面パネル及び第３側面パネルの上縁から延出する一対の上側外フラップと、上記第２側面パネル及び第４側面パネルの上縁から延出する一対の上側内フラップとを備え、包装箱に組み立て可能な箱用シートと、上記箱用シートと同時に組み立てられ、上記包装箱の外面を被覆する被覆用シートとを備え、上記被覆用シートが、左右方向の一方側から他方側に連接され、組立時に上記第１側面パネル、第２側面パネル、第３側面パネル及び第４側面パネルを被覆する第１側面被覆パネル、第２側面被覆パネル、第３側面被覆パネル及び第４側面被覆パネルと、上記第１側面被覆パネル及び第３側面被覆パネルの上縁から延出し、組立時に上記一対の上側外フラップの外面に重ねられ、上記一対の上側外フラップと共に折り込まれる一対の外側被覆フラップと、上記第２側面被覆パネル及び第４側面被覆パネルの上縁から延出し、組立時に上記一対の上側内フラップの外面に重ねられ、上記一対の上側内フラップと共に折り込まれる一対の内側被覆フラップとを備える。
【０００８】
当該シートセットは、箱用シートの一対の上側内フラップの外面に被覆用シートの一対の内側被覆フラップを重ねた状態でこれらのフラップを共に折り込み、さらに箱用シートの一対の上側外フラップの外面に被覆用シートの一対の外側被覆フラップを重ねた状態でこれらのフラップを共に折り込むことで箱用シート及び被覆用シートの蓋部を同時に組み立てることができる。また、当該シートセットは、組立状態で一対の上側外フラップ及び一対の外側被覆フラップをまとめて開き、さらに一対の上側内フラップ及び一対の内側被覆フラップをまとめて開くことで、箱用シート及び被覆用シートの蓋部を同時に開封することができる。そのため、当該シートセットは、蓋部の組立作業性及び開封作業性に優れる。さらに、当該シートセットは、例えば一対の外側被覆フラップを内側に折り込んだ状態で、これらの外側被覆フラップの先端部の外面に封函テープを貼ることで箱用シート及び被覆用シートの蓋部を封函することができる。当該シートセットは、一対の上側外フラップの外面に一対の外側被覆フラップが重ねられているので、一対の外側被覆フラップの封函時に一対の上側外フラップに封函テープが貼着し難い。そのため、当該シートセットは、一対の上側外フラップの外面の見栄えを良好に保つことができる。
【０００９】
一方の上記上側外フラップの延出方向最大長さが、この上側外フラップに重ねられる一方の外側被覆フラップの延出方向最大長さより大きく、かつ他方の上記上側外フラップの延出方向最大長さが、この上側外フラップに重ねられる他方の外側被覆フラップの延出方向最大長さより小さいとよい。この構成によると、一対の上側外フラップ及び一対の外側被覆フラップを折り込んだ状態で、一方の上側外フラップの先端部がこの上側外フラップに重ねられる一方の外側被覆フラップの先端縁よりも先端側に突出する一方、他方の上側外フラップの先端部がこの上側外フラップに重ねられる他方の外側被覆フラップの先端縁よりも基端側に配置される。そのため、上記他方の外側被覆フラップの先端側の内面を上記一方の上側外フラップの先端側の外面に重ね合わせた状態で保持することができる。これにより、組立時における一対の上側外フラップ及び一対の外側被覆フラップの安定性及び密閉性が向上する。
【００１０】
上記被覆用シートが、上記第１側面被覆パネル、第２側面被覆パネル、第３側面被覆パネル及び第４側面被覆パネルの下縁から延出する他のパネルを有しないとよい。当該シートセットは、組立状態で箱用シートの一対の上側外フラップが被覆用シートの一対の内側被覆フラップ及び一対の外側被覆フラップ間に挟持されるので、箱用シート及び被覆用シートの蓋部の係合が外れるおそれが低い。そのため、被覆用シートが第１側面被覆パネル乃至第４側面被覆パネルの下縁から延出する他のパネルを有しない場合でも、箱用シートを被覆用シートの内側で安定的に保持することができる。当該シートセットは、被覆用シートが第１側面被覆パネル乃至第４側面被覆パネルの下縁から延出する他のパネルを有しないことで、製造コストを抑えることができると共に、底部の組み立てが容易となる。
【００１１】
上記一対の上側外フラップの延出方向先端側端部の幅が、上記一対の外側被覆フラップの延出方向先端側端部の幅より小さいとよい。このように、上記一対の上側外フラップの延出方向先端側端部の幅が、上記一対の外側被覆フラップの延出方向先端側端部の幅より小さいことによって、一対の外側被覆フラップの封函時に一対の上側外フラップに封函テープが貼着されることをより確実に防止することができる。
【００１２】
上記一対の上側外フラップが開封自在に係合される係合構造を有するとよい。上記一対の上側外フラップが開封自在に係合される係合構造を有することで、被覆用シートから取り出して箱用シートのみを用いる場合に一対の上側外フラップの外面に封函テープを貼らなくてもよい。従って、当該シートセットの組立時に一対の上側外フラップに封函テープが貼着し難いことと相俟って、一対の上側外フラップによって形成される箱用シートの蓋部の見栄えを向上することができる。
【００１３】
なお、本明細書において、「左右方向」とは、組立状態で想定される一般的な使用態様における水平方向を意味し、「上」及び「下」とは、想定される一般的な使用態様における上下を意味する。また、「外」とは、組立状態における外を意味し、「内」とは、組立状態における内を意味する。但し、これらの用語は、当該シートセットの使用時の向きを制限することを企図するものではない。
【考案の効果】
【００１４】
以上説明したように、本考案に係るシートセットは、蓋部の組立作業性及び開封作業性に優れる。
【図面の簡単な説明】
【００１５】
【図１】本考案の一実施形態に係るシートセットの箱用シートを示す模式的平面図である。
【図２】本考案の一実施形態に係るシートセットの被覆用シートを示す模式的平面図である。
【図３】図１の箱用シート及び図２の被覆用シートからなるシートセットの組立手順を示す模式的斜視図である。
【図４】当該シートセットの図３の組立手順の次の手順を示す模式的斜視図である。
【図５】図３のシートセットの組立状態を示す模式的斜視図である。
【図６】図５のＡ−Ａ線断面図である。
【考案を実施するための形態】
【００１６】
以下、適宜図面を参照しつつ、本考案の実施の形態を詳説する。
【００１７】
［シートセット］
当該シートセットは、包装箱に組み立て可能な箱用シートと、この箱用シートと同時に組み立てられ、上記包装箱の外面を被覆する被覆用シートとを備える。まず、図１及び図２を参照して箱用シート１及び被覆用シート２について説明する。なお、図１及び図２において、太い実線は段ボールシートを切断して形成されるエッジを示し、細い実線は段ボールシートの表面に筋押しして形成される罫線を示す。また、被覆用シートが「箱用シートと同時に組み立てられる」とは、被覆用シートが全組立工程において箱用シートと同時に組み立てられることを意味するものではなく、被覆用シートが組立工程の一部において箱用シートと同時に組み立てられることをいう。具体的には、後述の梱包体を形成する際に、被覆用シートの蓋部が箱用シートと同時に組み立てられることをいう。
【００１８】
＜箱用シート＞
図１の箱用シート１は、左右方向の一方側から他方側に連接され、組立時に四角筒状部を構成する第１側面パネル１１、第２側面パネル１２、第３側面パネル１３及び第４側面パネル１４と、第１側面パネル１１及び第３側面パネル１３の上縁から延出する一対の上側外フラップ１５，１６と、第２側面パネル１２及び第４側面パネル１４の上縁から延出する一対の上側内フラップ１７，１８とを備える。また、箱用シート１は、第１側面パネル１１及び第３側面パネル１３の下縁から延出する一対の下側外フラップ１９，２０と、第２側面パネル１２及び第４側面パネル１４の下縁から延出する一対の下側内フラップ２１，２２と、第１側面パネル１１の第２側面パネル１２との連接側と反対側の端縁から延出する糊代部２３とを備える。
【００１９】
箱用シート１に用いられるシートとしては、箱用シート１を組み立ててなる包装箱の形状を維持できる程度の強度を有している限り特に限定されるものではなく、例えば段ボールシート、厚紙等の紙製シート、紙製シートと合成樹脂製シートとの積層シート等が挙げられる。中でも、加工性、衝撃吸収性、取扱性、リサイクル性、経済性等の点から紙製のシートが好ましく、段ボールシートが特に好ましい。箱用シート１を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２０】
（側面パネル）
第１側面パネル１１乃至第４側面パネル１４は各々略方形状に形成されている。第１側面パネル１１及び第３側面パネル１３は略同形状に形成されている。また、第２側面パネル１２及び第４側面パネル１４は略同形状に形成されている。第１側面パネル１１乃至第４側面パネル１４の上下方向長さは略等しい。また、第１側面パネル１１及び第３側面パネル１３の左右方向長さは第２側面パネル１２及び第４側面パネル１４の左右方向長さよりも大きい。
【００２１】
第１側面パネル１１乃至第４側面パネル１４は、まず第１側面パネル１１を第２側面パネル１２の内面に折り重ね、続いて第４側面パネル１４を第３側面パネル１３の内面に折り重ね、糊代部２３を第４側面パネル１４の内面に貼着することで無端状に接続される。第１側面パネル１１乃至第４側面パネル１４は、無端状に接続された状態で、第１側面パネル１１及び第３側面パネル１３が対向し、かつ第２側面パネル１２及び第４側面パネル１４が対向するように広げられることで四角筒状部を形成する。
【００２２】
第１側面パネル１１乃至第４側面パネル１４の上下方向長さは、箱用シート１を組み立ててなる包装箱に収容する物品のサイズによって適宜設定可能であるが、例えば１０ｃｍ以上４０ｃｍ以下とすることができる。第１側面パネル１１及び第３側面パネル１３の左右方向長さとしては、箱用シート１を組み立ててなる包装箱に収容する物品のサイズによって適宜設定可能であるが、例えば１５ｃｍ以上７０ｃｍ以下とすることができる。また、第２側面パネル１２及び第４側面パネル１４の左右方向長さとしては、箱用シート１を組み立ててなる包装箱に収容する物品のサイズによって適宜設定可能であるが、例えば１０ｃｍ以上４０ｃｍ以下とすることができる。
【００２３】
第１側面パネル１１には、第２側面パネル１２との連接側と反対側の端縁の上端から第２側面パネル１２との連接側の端縁にかけて下方に傾斜して延びる直線状の破断容易線１１ａが形成されている。また、第３側面パネル１３には、第４側面パネル１４との連接側の端縁の上端から第２側面パネル１２との連接側の端縁にかけて下方に傾斜して延びる直線状の破断容易線１３ａが形成されている。さらに、第２側面パネル１２と第１側面パネル１１及び第３側面パネル１３との連接部間の領域には、一対の破断容易線１１ａ，１３ａを接続し、第２側面パネル１２の左右方向中央部分において下方に突出する下側破断容易線１２ａと、一対の破断容易線１１ａ，１３ａを接続し、第２側面パネル１２の左右方向中央部分において上方に突出する上側破断容易線１２ｂとが形成されている。これにより、箱用シート１は、組立状態で下側破断容易線１２ａ及び上側破断容易線１２ｂを破断し、下側破断容易線１２ａ及び上側破断容易線１２ｂで囲まれる部分を取り外すことで、内部に収容される物品を外部から視認可能に構成されている。また、箱用シート１は、一対の破断容易線１１ａ，１３ａ及び下側破断容易線１２ａを破断し、一対の破断容易線１１ａ，１３ａの上端を基端としてこれらの破断容易線１１ａ，１２ａ，１３ａによって破断された上側の領域を上側に折り返すことで、内部に収容される物品を外部から視認可能に展示できるよう構成されている。
【００２４】
（上側フラップ）
一対の上側外フラップ１５，１６は、延出方向基端側から先端側にかけて両側面が幅方向中央側に傾斜している。これにより、一対の上側外フラップ１５，１６は概略台形に形成されている。また、一対の上側外フラップ１５，１６の先端部には、凹部１５ａ，１６ａ及び凸部１５ｂ，１６ｂが幅方向に交互に設けられている。一対の上側外フラップ１５，１６の凹部１５ａ，１６ａ及び凸部１５ｂ，１６ｂは、一対の上側外フラップ１５，１６を開封自在に係合する係合構造を構成している。詳細には、一方の上側外フラップ１５の凹部１５ａ及び他方の上側外フラップ１６の凸部１６ｂは、組立状態で先端同士が係合するよう対向配置され、一方の上側外フラップ１５の凸部１５ｂ及び他方の上側外フラップ１６の凹部１６ａは、組立状態で先端同士が係合するよう対向配置される。これにより、箱用シート１は、一方の上側外フラップ１５の凹部１５ａ及び他方の上側外フラップ１６の凸部１６ｂと、一方の上側外フラップ１５の凸部１５ｂ及び他方の上側外フラップ１６の凹部１６ａとを幅方向に互い違いに重ね合わせることで四角筒状部の上端を密閉可能に構成される。また、箱用シート１は、一対の上側外フラップ１５，１６の凹部１５ａ，１６ａ及び凸部１５ｂ，１６ｂの係合を解除することで四角筒状部の上端を開封可能に構成される。
【００２５】
一方の上側外フラップ１５の基端部から凸部１５ｂの先端までの延出方向長さは、他方の上側外フラップ１６の基端部から凸部１６ｂの先端までの延出方向長さよりも長い。また、一方の上側外フラップ１５の基端部から凹部１５ａまでの延出方向長さは、他方の上側外フラップ１６の基端部から凹部１６ａまでの延出方向長さよりも長い。さらに、一方の上側外フラップ１５の基板部から凹部１５ａまでの延出方向長さは、他方の上側外フラップ１６の基端部から凸部１６ｂの先端までの延出方向長さよりも長い。つまり、一方の上側外フラップ１５の基端部から先端側の端縁までの最小長さは、他方の上側外フラップ１６の基端部から先端側の端縁までの最大長さよりも長い。加えて、一方の上側外フラップ１５の基端部から凹部１５ａまでの延出方向長さは第２側面パネル１２及び第４側面パネル１４の左右方向長さの１／２よりも大きく、他方の上側外フラップ１６の基端部から凸部１６ｂの先端までの延出方向長さは第２側面パネル１２及び第４側面パネル１４の左右方向長さの１／２よりも小さい。
【００２６】
一方の上側外フラップ１５の基端部から凸部１５ｂの先端までの延出方向長さ及び他方の上側外フラップ１６の基端部から凹部１６ａまでの延出方向長さの合計長さは、一方の上側外フラップ１５の基端部から凹部１５ｂまでの延出方向長さ及び他方の上側外フラップ１６の基端部から凸部１６ｂの先端までの延出方向長さの合計長さと略等しい。また、これらの合計長さは、組立状態で一対の上側外フラップ１５，１６の凹部１５ａ，１６ａ及び凸部１５ｂ，１６ｂが係合するよう、第２側面パネル１２及び第４側面パネル１４の左右方向長さよりも大きい。第２側面パネル１２及び第４側面パネル１４の左右方向長さに対する上記合計長さの比の下限としては、１．０１が好ましく、１．０３がより好ましい。一方、第２側面パネル１２及び第４側面パネル１４の左右方向長さに対する上記合計長さの比の上限としては、１．０８が好ましく、１．０６がより好ましい。上記比が上記下限に満たないと、箱用シート１の組立時に一対の上側外フラップ１５，１６の凹部１５ａ，１６ａ及び凸部１５ｂ，１６ｂを十分に係合することができないおそれがある。一方、箱用シート１は、後述するように、一対の上側内フラップ１７，１８の外面に被覆用シート２の一対の内側被覆フラップ３７，３８を重ねて内側に折り込み、さらに一対の上側外フラップ１５，１６の外面に被覆用シート２の一対の外側被覆フラップ３５，３６を重ねて内側に折り込むことで被覆用シート２で被覆された梱包体５１として組み立てられる。一対の上側外フラップ１５，１６は、一対の上側内フラップ１７，１８及び一対の内側被覆フラップ３７，３８の上側から折り込まれるため、折り込まれた際に水平方向より若干傾斜した状態で保持されやすい。そのため、上記合計長さが第２側面パネル１２及び第４側面パネル１４の左右方向長さよりも多少大きくても梱包体組立時に一対の上側外フラップ１５，１６の先端部同士は重なり合わない。しかしながら、上記比が上記上限を超えると、上記合計長さが大きくなり過ぎることで、梱包体組立時に一対の上側外フラップ１５，１６の先端部同士が重なり合うおそれがあり、梱包体５１の蓋部の形状安定性が低下するおそれがある。
【００２７】
一方の上側外フラップ１５の基端部から凹部１５ａまでの延出方向長さ及び他方の上側外フラップ１６の基端部から凹部１６ａまでの延出方向長さの合計長さは、第２側面パネル１２及び第４側面パネル１４の左右方向長さと略等しい。これにより、包装箱組立時に一対の上側外フラップ１５，１６を的確に係合することできると共に、蓋部の密閉性を高めることができる。
【００２８】
一対の上側内フラップ１７，１８は略矩形状に形成されている。一対の上側内フラップ１７，１８は略同形状に形成されている。
【００２９】
（下側フラップ）
一対の下側外フラップ１９，２０及び一対の下側内フラップ２１，２２は、第１側面パネル１１乃至第４側面パネル１４によって形成される上記四角筒状部の下端縁を密閉可能に構成されている。一対の下側外フラップ１９，２０の幅方向中央には凹部１９ａ，２０ａが形成されている。箱用シート１は、上記四角筒状部を形成した状態で、一対の下側外フラップ１９，２０の幅方向の両端を一対の下側内フラップ２１，２２と係合しつつ、一対の下側外フラップ１９，２０の凹部１９ａ，２０ａの左右の領域を互い違いに重ね合わせることで上記四角筒状部の下端縁を密閉可能に構成されている。
【００３０】
＜被覆用シート＞
図２の被覆用シート２は、左右方向の一方側から他方側に連接され、組立時に箱用シート１の第１側面パネル１１、第２側面パネル１２、第３側面パネル１３及び第４側面パネル１４を被覆する第１側面被覆パネル３１、第２側面被覆パネル３２、第３側面被覆パネル３３及び第４側面被覆パネル３４と、第１側面被覆パネル３１及び第３側面被覆パネル３３の上縁から延出し、組立時に箱用シート１の一対の上側外フラップ１５，１６の外面に重ねられ、一対の上側外フラップ１５，１６と共に折り込まれる一対の外側被覆フラップ３５，３６と、第２側面被覆パネル３２及び第４側面被覆パネル３４の上縁から延出し、組立時に箱用シート１の一対の上側内フラップ１７，１８の外面に重ねられ、一対の上側内フラップ１７，１８と共に折り込まれる一対の内側被覆フラップ３７，３８とを備える。また、被覆用シート２は、第１側面被覆パネル３１の第２側面被覆パネル３２との連接側と反対側の端縁から延出する糊代部３９を備える。被覆用シート２は、第１側面被覆パネル３１、第２側面被覆パネル３２、第３側面被覆パネル３３及び第４側面被覆パネル３４の下縁から延出する他のパネルを有しない。被覆用シート２に用いられるシートとしては、箱用シート１及び被覆用シート２を組み立てて形成される梱包体の形状を維持できる程度の強度を有している限り特に限定されるものではなく、例えば箱用シート１と同様の段ボールシート、紙製シート、積層シート等が挙げられ、中でも段ボールシートが好ましい。
【００３１】
（側面被覆パネル）
第１側面被覆パネル３１乃至第４側面被覆パネル３４は各々略方形状に形成されている。第１側面被覆パネル３１及び第３側面被覆パネル３３は略同形状に形成されている。また、第２側面被覆パネル３２及び第４側面被覆パネル３４は略同形状に形成されている。
【００３２】
第１側面被覆パネル３１乃至第４側面被覆パネル３４は、まず第１側面被覆パネル３１を第２側面被覆パネル３２の内面に折り重ね、続いて第４側面被覆パネル３４を第３側面被覆パネル３３の内面に折り重ね、糊代部３９を第４側面被覆パネル３４の内面に貼着することで無端状に接続される。第１側面被覆パネル３１乃至第４側面被覆パネル３４は、無端状に接続された状態で、第１側面被覆パネル３１及び第３側面被覆パネル３３が対向し、かつ第２側面被覆パネル３２及び第４側面被覆パネル３４が対向するように広げられることで四角筒状部を形成する。
【００３３】
第１側面被覆パネル３１乃至第４側面被覆パネル３４は、四角筒状に形成された状態で内面が箱用シート１の四角筒状部の外面に当接する程度のサイズに形成される。第１側面パネル１１及び第３側面パネル１３の左右方向長さに対する第１側面被覆パネル３１及び第３側面被覆パネル３３の左右方向長さの比としては、１．０１以上１．０８以下が好ましい。また、第２側面パネル１２及び第４側面パネル１４の左右方向長さに対する第２側面被覆パネル３２及び第４側面被覆パネル３４の左右方向長さの比としては、１．０１以上１．０８以下が好ましい。
【００３４】
第１側面被覆パネル３１乃至第４側面被覆パネル３４の上下方向長さは、梱包体組立状態で箱用シート１の第１側面パネル１１乃至第４側面パネル１４の全領域を被覆できるよう、第１側面パネル１１乃至第４側面パネル１４の上下方向長さ以上であることが好ましい。第１側面パネル１１乃至第４側面パネル１４の上下方向長さに対する第１側面被覆パネル３１乃至第４側面被覆パネル３４の上下方向長さの比の下限としては、１．００が好ましく、１．０１がより好ましい。一方、上記比の上限としては、１．０５が好ましく、１．０３がより好ましい。上記比が上記下限に満たないと、第１側面パネル１１乃至第４側面パネル１４の外面を的確に保護できないおそれがある。逆に、上記比が上記上限を超えると、第１側面被覆パネル３１乃至第４側面被覆パネル３４の下端部が第１側面パネル１１乃至第４側面パネル１４の下端縁よりも下方に突出することで、この突出部分の強度が不十分となるおそれがある。
【００３５】
第４側面被覆パネル３４の上部には、封函テープを剥がしやすくするための破断開始部４０が形成されている。破断開始部４０は、第４側面被覆パネル３４の左右方向中心位置の左右において上下方向に延びる一対の破断容易線４０ａと、一対の破断容易線４０ａの上端部を接続する第１切断線４０ｂと、一対の破断容易線４０ａの下端部を接続する第２切断線４０ｃと、第２切断線４０ｃの中心部から下方に延びる第３切断線４０ｄと、第３切断線４０ｄの下端部から左右方向かつ上方に傾斜して延び第２切断線４０ｃに接続される一対の折り曲げ容易線４０ｅとを有する。第１切断線４０ｂは、第４側面被覆パネル３４の上縁に形成されている。
【００３６】
（被覆フラップ）
一対の外側被覆フラップ３５，３６は略同形の矩形状に形成されている。また、一対の内側被覆フラップ３７，３８は略同形の矩形状に形成されている。一対の外側被覆フラップ３５，３６の延出方向長さ及び一対の内側被覆フラップ３７，３８の延出方向長さは略等しい。一対の外側被覆フラップ３５，３６は、梱包体組立時に第２側面被覆パネル３２及び第４側面被覆パネル３４の左右方向中央で先端同士が突き合わされるよう構成されている。そのため、一対の外側被覆フラップ３５，３６の延出方向の合計長さは、第２側面被覆パネル３２及び第４側面被覆パネル３４の左右方向長さと略等しい。
【００３７】
（梱包体）
図３〜図６を参照して、箱用シート１及び被覆用シート２を組み立ててなる梱包体５１について説明する。最初に、図３及び図４を参照して、梱包体５１の組立手順について説明する。
【００３８】
まず、箱用シート１の第１側面パネル１１乃至第４側面パネル１４を無端状に接続して四角筒状部を形成したうえ、一対の下側内フラップ２１，２２及び一対の下側外フラップ１９，２０を内側に折り込み包装箱の底部を形成する。また、被覆用シート２の第１側面被覆パネル３１乃至第４側面被覆パネル３４を無端状に接続して四角筒状部を形成する。
【００３９】
次に、図３に示すように、被覆用シート２の四角筒状部内に箱用シート１の四角筒状部を挿入する。このとき、被覆用シート２の四角筒状部の上縁及び箱用シート１の四角筒状部の上縁が重なり合うように箱用シート１及び被覆用シート２を位置合わせする。ここで、一方の上側外フラップ１５の基端部から凸部１５ｂまでの延出方向長さはこの上側外フラップ１５に重ねられる外側被覆フラップ３５の延出方向長さよりも大きく、他方の上側外フラップ１６の基端部から凸部１６ｂまでの延出方向長さはこの上側外フラップ１６に重ねられる外側被覆フラップ３６の延出方向長さよりも小さい。つまり、一方の上側外フラップ１５の延出方向最大長さが、この上側外フラップ１５に重ねられる一方の外側被覆フラップ３５の延出方向最大長さより大きく、かつ他方の上側外フラップ１６の延出方向最大長さが、この上側外フラップ１６に重ねられる他方の外側被覆フラップ３６の延出方向最大長さより小さい。そのため、一方の上側外フラップ１５の先端部が一方の外側被覆フラップ３５の先端縁から突出する一方、他方の上側外フラップ１６の先端部は他方の外側被覆フラップ３６の先端縁より基端側に配置される。
【００４０】
続いて、図４に示すように、一対の上側内フラップ１７，１８に一対の内側被覆フラップ３７，３８が重ねられた状態でこれらのフラップ１７，１８，３７，３８を内側に折り込む。さらに、一方の上側外フラップ１５に一方の外側被覆フラップ３５が重ねられた状態でこれらのフラップ１５，３５を内側に折り込む。このとき、一方の上側外フラップ１５の延出方向最大長さが一方の外側被覆フラップ３５の延出方向最大長さよりも大きいので、一方の上側外フラップ１５の先端部が一方の外側被覆フラップ３５の先端縁よりも先端側に突出する。
【００４１】
続いて、他方の上側外フラップ１６に他方の外側被覆フラップ３６が重ねられた状態でこれらのフラップ１６，３６を内側に折り込む。これにより、一対の外側被覆フラップ３５，３６の先端同士が突き合わされることで、箱用シート１及び被覆用シート２の四角筒状部の上部開口が同時に密閉され、梱包体が組み立てられる。なお、図５に示すように、梱包体５１は、破断開始部４０内に一端が位置するように封函テープＸを一対の外側被覆フラップ３５，３６の突き合わせ部の外面に貼ることで封函される。
【００４２】
当該シートセットは、上述のように、一方の上側外フラップ１５の延出方向最大長さが、この上側外フラップ１５に重ねられる一方の外側被覆フラップ３５の延出方向最大長さより大きく、かつ他方の上側外フラップ１６の延出方向最大長さが、この上側外フラップ１６に重ねられる他方の外側被覆フラップ３６の延出方向最大長さより小さい。そのため、当該シートセットは、図６に示すように、組立状態で他方の外側被覆フラップ３６の先端側の内面を一方の上側外フラップ１５の先端側の外面に重ね合わせた状態で保持することができる。これにより、梱包体組立時における一対の上側外フラップ１５，１６及び一対の外側被覆フラップ３５，３６の安定性及び密閉性が向上する。
【００４３】
当該シートセットは、梱包体組立状態で箱用シート１の一対の上側外フラップ１５，１６が被覆用シート２の一対の内側被覆フラップ３７，３８及び一対の外側被覆フラップ３５，３６間に挟持されるので、箱用シート１及び被覆用シート２の蓋部の係合が外れるおそれが低い。そのため、被覆用シート２が第１側面被覆パネル３１乃至第４側面被覆パネル３４の下縁から延出する他のパネルを有しない場合でも、箱用シート１を被覆用シート２の内側で安定的に保持することができる。当該シートセットは、被覆用シート２が第１側面被覆パネル３１乃至第４側面被覆パネル３４の下縁から延出する他のパネルを有しないことで、製造コストを抑えることができると共に、底部の組み立てが容易となる。
【００４４】
当該シートセットは、上述のように一対の上側外フラップ１５，１６が概略台形に形成されており、一対の上側外フラップ１５，１６の延出方向先端側端部の幅が、一対の外側被覆フラップ３５，３６の延出方向先端側端部の幅よりも小さい。これにより、当該シートセットは、一対の外側被覆フラップ３５，３６の突き合わせ部に封函テープＸを貼って封函する場合に一対の上側外フラップ１５，１６の先端側の両側端部に封函テープＸが貼着されるおそれが低い。従って、当該シートセットは、箱用シート１を被覆用シート２から取り出し、包装箱に組み立てて用いる場合に、一対の上側外フラップ１５，１６によって形成される蓋部の見栄えを向上することができる。
【００４５】
また、当該シートセットは、一対の上側外フラップ１５，１６が開封自在に係合される係合構造を有することで、被覆用シート２から取り出して箱用シート１のみを用いる場合に一対の上側外フラップ１５，１６の外面に封函テープを貼らなくてもよい。従って、梱包体組立時に一対の上側外フラップ１５，１６に封函テープが貼着し難いことと相俟って、一対の上側外フラップ１５，１６によって形成される包装箱の蓋部の見栄えを向上することができる。
【００４６】
＜利点＞
当該シートセットは、箱用シート１の一対の上側内フラップ１７，１８の外面に被覆用シート２の一対の内側被覆フラップ３７，３８を重ねた状態でこれらのフラップ１７，１８，３７，３８を共に折り込み、さらに箱用シート１の一対の上側外フラップ１５，１６の外面に被覆用シートの一対の外側被覆フラップ３５，３６を重ねた状態でこれらのフラップ１５，１６，３５，３６を共に折り込むことで箱用シート１及び被覆用シート２の蓋部を同時に組み立てることができる。また、当該シートセットは、組立状態で一対の上側外フラップ１５，１６及び一対の外側被覆フラップ３５，３６をまとめて開き、さらに一対の上側内フラップ１７，１８及び一対の内側被覆フラップ３７，３８をまとめて開くことで、箱用シート１及び被覆用シート２の蓋部を同時に開封することができる。そのため、当該シートセットは、蓋部の組立作業性及び開封作業性に優れる。さらに、当該シートセットは、例えば一対の外側被覆フラップ３５，３６を内側に折り込んだ状態で、これらの外側被覆フラップ３５，３６の先端部の外面に封函テープＸを貼ることで箱用シート１及び被覆用シート２の蓋部を封函することができる。当該シートセットは、一対の上側外フラップ１５，１６の外面に一対の外側被覆フラップ３５，３６が重ねられているので、一対の外側被覆フラップ３５，３６の封函時に一対の上側外フラップ１５，１６に封函テープＸが貼着し難い。そのため、当該シートセットは、一対の上側外フラップ１５，１６の外面の見栄えを良好に保つことができる。
【００４７】
［その他の実施形態］
なお、本考案に係るシートセットは、上記態様の他、種々の変更、改良を施した態様で実施することができる。例えば上記箱用シートの上側フラップ及び下側フラップの具体的形状は特に限定されるものではなく、各々矩形状に形成されていてもよい。また、一対の上側外フラップの延出方向最大長さは一対の外側被覆フラップの延出方向最大長さと略等しくてもよい。さらに、一対の上側外フラップの延出方向先端側端部の幅は、一対の外側被覆フラップの延出方向先端側端部の幅と略等しくてもよい。加えて、一対の上側外フラップが開封自在に係合される係合構造を有する場合、この係合構造の具体的形状は上記実施形態の形状に限定されるものではない。
【００４８】
上記被覆用シートは、第１側面被覆パネル乃至第４側面被覆パネルの下縁から延出する他のパネルを有していてもよい。
【産業上の利用可能性】
【００４９】
以上のように、本考案のシートセットは、蓋部の組立作業性及び開封作業性に優れるので物品の運搬用又は保管用のシートセットとして適している。
【符号の説明】
【００５０】
１  箱用シート
２  被覆用シート
１１  第１側面パネル
１２  第２側面パネル
１３  第３側面パネル
１４  第４側面パネル
１１ａ，１３ａ  破断容易線
１２ａ  下側破断容易線
１２ｂ  上側破断容易線
１５，１６  上側外フラップ
１５ａ，１６ａ  凹部
１５ｂ，１６ｂ  凸部
１７，１８  上側内フラップ
１９，２０  下側外フラップ
１９ａ，２０ａ  凹部
２１，２２  下側内フラップ
２３  糊代部
３１  第１側面被覆パネル
３２  第２側面被覆パネル
３３  第３側面被覆パネル
３４  第４側面被覆パネル
３５，３６  外側被覆フラップ
３７，３８  内側被覆フラップ
３９  糊代部
４０  破断開始部
４０ａ  破断容易線
４０ｂ  第１切断線
４０ｃ  第２切断線
４０ｄ  第３切断線
４０ｅ  折り曲げ容易線
５１  梱包体
Ｘ  封函テープ
【図１】
0003209896.tif 000003
【図２】
0003209896.tif 000004
【図３】
0003209896.tif 000005
【図４】
0003209896.tif 000006
【図５】
0003209896.tif 000007
【図６】
0003209896.tif 000008